(57)【要約】 【課題】乾式フィルタの上流側に粉末状のプリコート剤を収納する収納容器を配設するとともに、この収納容器の上方にはプリコート剤に圧縮空気を噴射する噴射ノズルを設けて、この噴射ノズルからの圧縮空気の噴射によりプリコート剤を舞い上がらせて前記乾式フィルタの表面に供給するようにした乾式フィルタ式集塵機におけるプリコート剤の供給装置において、可及的に少ない圧縮空気噴射量で所要量のプリコート剤を乾式フィルタに供給できる装置を提供する。【解決手段】前記噴射ノズルは、口径が４〜１０ ｍｍであって１個の噴射ノズルから１回のパルスに噴射する空気量が６〜１４Ｌであることを特徴とする。【選択図】     図１
2008110317.tif 000002
【特許請求の範囲】
【請求項１】
乾式フィルタの上流側に粉末状のプリコート剤を収納する収納容器を配設するとともに、この収納容器の上方にはプリコート剤に圧縮空気を噴射する噴射ノズルを設けて、この噴射ノズルからの圧縮空気の噴射によりプリコート剤を舞い上がらせて前記乾式フィルタの表面に供給するようにした乾式フィルタ式集塵機におけるプリコート剤の供給装置において、
前記噴射ノズルは、口径が４〜１０ ｍｍであって１個の噴射ノズルから１回のパルスに噴射する空気量が６〜１４
Ｌであることを特徴とする乾式フィルタ式集塵機におけるプリコート剤の供給装置。
【請求項２】
前記噴射ノズルから１回のパルスに噴射する空気量が８
Ｌであることを特徴とする請求項１に記載の乾式フィルタ式集塵機におけるプリコート剤の供給装置。
【発明の詳細な説明】
【技術分野】
【０００１】
本発明は、乾式フィルタ式集塵機におけるプリコート剤（濾過助剤）の供給装置に係り、より詳しくは、乾式フィルタの上流側に粉末状のプリコート剤を収納する収納容器を配設するとともに、この収納容器の上方にはプリコート剤に圧縮空気を噴射する噴射ノズルを設けて、この噴射ノズルからの圧縮空気の噴射によりプリコート剤を舞い上がらせて前記乾式フィルタの表面に供給するようにした集塵機におけるプリコート剤の供給装置に関する。
【背景技術】
【０００２】
従来、ガス清浄装置の一つとして、底部を液溜部としたケーシングの内部を、下部に邪魔板状のエリミネータを備えた隔壁により、ベンチュリースクライドを備えた湿式洗浄室と、乾式フィルタを備えた乾式洗浄室とに区画し、乾式洗浄室の底部には内部に粉末状のプリコート剤を収納する容器を配設するとともに、その上方にはプリコート剤に圧縮空気を噴射する噴射ノズルを設けて、噴射ノズルからの圧縮空気の噴射によりプリコート剤を舞い上がらせて乾式フィルタの表面に供給するようにしたものがある。
【特許文献１】特開昭６２−１６３７２３号公報
【発明の開示】
【発明が解決しようとする課題】
【０００３】
しかし、このように構成された従来のガス清浄装置では、噴射ノズルからの圧縮空気噴射量が多くなると、圧縮空気の噴射の勢いが大きくなり、圧縮空気が収納容器内のプリコート剤を局部的に吹き抜けて、プリコート剤を十分に供給することができない。また、圧縮空気噴射量が少なくなると、圧縮空気の噴射の勢いがないため、プリコート剤を乾式フィルタに十分に供給できない問題があった。
【０００４】
本発明は上記の事情に鑑みてなされたもので、その目的は、可及的に少ない圧縮空気噴射量で所要量のプリコート剤を乾式フィルタに供給できる装置を提供することにある。
【課題を解決するための手段】
【０００５】
上記の問題を解消するために本発明の乾式フィルタ式集塵機におけるプリコート剤の供給装置は、乾式フィルタの上流側に粉末状のプリコート剤を収納する収納容器を配設するとともに、この収納容器の上方にはプリコート剤に圧縮空気を噴射する噴射ノズルを設けて、この噴射ノズルからの圧縮空気の噴射によりプリコート剤を舞い上がらせて前記乾式フィルタの表面に供給するようにした集塵機におけるプリコート剤の供給装置において、前記噴射ノズルは、口径が４〜１０ ｍｍであって１個の噴射ノズルから１回のパルスに噴射する空気量が６〜１４
Ｌであることを特徴とする。
【０００６】
なお、本発明においては、口径４〜１０
ｍｍの１個の噴射ノズルから１回のパルスに噴射する空気量が８
Ｌであると、より優れた作用効果を奏する。
【発明の効果】
【０００７】
上記の説明から明らかなように本発明は、乾式フィルタの上流側に粉末状のプリコート剤を収納する収納容器を配設するとともに、この収納容器の上方にはプリコート剤に圧縮空気を噴射する噴射ノズルを設けて、この噴射ノズルからの圧縮空気の噴射によりプリコート剤を舞い上がらせて前記乾式フィルタの表面に供給するようにした集塵機におけるプリコート剤の供給装置において、前記噴射ノズルは、口径が４〜１０ ｍｍであって１個の噴射ノズルから１回のパルスに噴射する空気量が６〜１４
Ｌであるから、可及的に少ない圧縮空気噴射量で所要量のプリコート剤を乾式フィルタに適確に供給できるなどの優れた実用的効果を奏する。
【発明を実施するための最良の形態】
【０００８】
次に、本発明を適用した乾式フィルタ式集塵機におけるプリコート剤の供給装置の一実施例について、図１〜図３に基づき詳細に説明する。本乾式フィルタ式集塵機においては、ケーシングの内部が、逆洗装置（図示せず）を配置する排気室（図示せず）と、仕切板（図示せず）により排気室と区分された集塵室（図示せず）からなり、所定個数の乾式フィルタ（図示せず）が、前記仕切板に脱着自在に吊り下げられている。
【０００９】
そして、前記乾式フィルタの上流側には、プリコート剤の供給装置として、図１に示すように、プリコート剤としての粉末状の炭酸カルシウム１をその上端とほぼ同じ高さまで収納した収納容器２が配設してあり、この収納容器２の上方には、炭酸カルシウム１に圧縮空気を噴射する１個の噴射ノズル３が設けてあり、さらに、噴射ノズル３には、圧力０．５
ＭＰａの圧縮空気を貯留した容量５．１Ｌのエアタンク（図示せず）が連通接続してある。また、前記炭酸カルシウム１は、上面がほぼ平坦であり、かつ、縦１５０
ｍｍ×横３００ ｍｍの広さの上面を有し、さらに、高さが１００ ｍｍである。
【００１０】
そこで、上述したプリコート剤の供給装置における噴射ノズル３の口径を４〜１０ ｍｍの範囲で変更するとともに、噴射ノズル３からの圧縮空気をパルス１回当り３秒間、噴射量４〜１７
Ｌの範囲で噴射して、乾式フィルタにプリコート剤を供給し付着させる。こうして、圧縮空気の噴射量を４〜１７Ｌの範囲で変えて噴射ノズル３から噴射し、その時の収納容器２内の炭酸カルシウム１の舞い上がり量（供給量）を測定し、その測定値をグラフで表すと、図２に示すようになる。
【００１１】
図２からは、次のことが分かる。すなわち、炭酸カルシウム供給量は、圧縮空気の噴射量の増加に伴って増大し、噴射量が約８．７
Ｌのときに、約４１ gとなる。一方、圧縮空気の噴射量を８．７ Ｌよりも多くすると、圧縮空気噴射量に対する炭酸カルシウム供給量の増加が緩やかになることが分かる。この原因としては、圧縮空気の噴射量が約８．７
Ｌよりも増大すると、圧縮空気の噴射の勢いが大きくなり、圧縮空気が収納容器３内のプリコート剤を局部的に吹き抜けて、プリコート剤を十分に供給することができなくなるためと考えられる。
【００１２】
ところで、一般にプリコート剤の供給装置では、乾式フィルタの濾過面積１ ｍ２に対するプリコート剤の供給量 ｇ／ｍ２を設計指標として用いている。今、濾過面積１０ ｍ２に対して１時間当り７５ ｇ／ｍ２のプリコート剤を供給するものと考えると、７５
ｇ／ｍ２×１０ ｍ２ / 1 ｈ ＝ ７５０ ｇ／ｈのプリコート剤を供給することになる。
【００１３】
このときの噴射ノズル３による圧縮空気の消費量Ｑ [Ｌ／ｈ]は、次のようにして求めることができる。まず、プリコート剤供給量７５０ ｇ／ｈに対して、１個の噴射ノズル３からのパルス１回の圧縮空気噴射で供給されるプリコート剤量を除算することにより、７５０
ｇ／ｈのプリコート剤を供給するための必要パルス回数[回／ｈ]を求めることができる。次に、必要パルス回数に対して、１個の噴射ノズル３からパルス１回で噴射される空気量を乗算することにより、圧縮空気の消費量Ｑ [Ｌ/ｈ]を求めることができる。
【００１４】
例えば、図２で示す場合における好適な時のように、噴射ノズル３が圧縮空気を１パルス噴射して、圧縮空気噴射量が約８．７
Ｌ、炭酸カルシウム供給量が約４１ ｇの時、圧縮空気の消費量Ｑ[Ｌ/ｈ]は、下記のようになる。  
Ｑ[Ｌ/ｈ]＝（７５０ ［ｇ／ｈ］÷４１ [ｇ／回]）×８．７ [Ｌ／回] ＝１５８[Ｌ/ｈ]
【００１５】
そこで、図２で示す結果に基づき、７５０ ｇ／ｈの炭酸カルシウムを乾式フィルタに供給したときの圧縮空気の消費量Ｑ [Ｌ／ｈ]を求め、１個の噴射ノズル３からパルス１回で噴射される圧縮空気噴射量との関係をプロットしたものを図３に示す。
【００１６】
図３からは次のことが分かる。すなわち、圧縮空気の噴射量が約８．７
Ｌのとき、７５０ ｇ／ｈの炭酸カルシウムを供給したときの圧縮空気の消費量Ｑ [Ｌ/ｈ]は、約１５８  Ｌとなって、最も少ない圧縮空気消費量で炭酸カルシウムを乾式フィルタに供給できる。
圧縮空気の噴射量を約８．７ Ｌよりも多くすると、圧縮空気の噴射の勢いが大きくなり、圧縮空気が収納容器内のプリコート剤を局部的に吹き抜けて、プリコート剤を十分に供給することができなくなるため、その結果として、７５０ ｇ／ｈの炭酸カルシウムを供給したときの圧縮空気消費量は増大することになる。
【００１７】
一方、圧縮空気の噴射量が少なくなると、圧縮空気噴射の勢いがないため、炭酸カルシウムを乾式フィルタに十分に供給できず、７５０ ｇ／ｈの炭酸カルシウムを供給する圧縮空気噴射のパルス回数が増加させる必要があり、結果として圧縮空気消費量が増大する。
【００１８】
なお、上記の実施例では、乾式フィルタ式集塵機は、ケーシングの内部が、逆洗装置（図示せず）を配置する排気室（図示せず）と、仕切板（図示せず）により排気室と区分された集塵室（図示せず）からなり、所定個数の乾式フィルタ（図示せず）が、前記仕切板に脱着自在に吊り下げられた構造のものであるが、これに限定されるものではなく、要は、乾式フィルタの上流側に粉末状のプリコート剤を収納する収納容器を配設するとともに、この収納容器の上方にはプリコート剤に圧縮空気を噴射する噴射ノズルを設けて、この噴射ノズルからの圧縮空気の噴射によりプリコート剤を舞い上がらせて前記乾式フィルタの表面に供給する乾式フィルタ式集塵機ならどんな構造のものでもよい。
【図面の簡単な説明】
【００１９】
【図１】本発明を適用したプリコート剤の供給装置の一実施例の一部断面正面図である。
【図２】圧縮空気の噴射量を４〜１７Ｌの範囲で変えて噴射ノズルから噴射し、そのときの容器内の炭酸カルシウムの供給量を測定し、その測定値を示すグラフである。
【図３】図２で示す結果に基づき、７５０［ｇ／ｈ］の炭酸カルシウムを乾式フィルタに供給したときの圧縮空気の消費量[Ｌ／ｈ]を求め、１個の噴射ノズルが圧縮空気を１回のパルスとして３秒間噴射したときの圧縮空気の噴射量との関係を示すグラフである。
【符号の説明】
【００２０】
３    噴射ノズル
【図１】
2008110317.tif 000003
【図２】
2008110317.tif 000004
【図３】
2008110317.tif 000005